(57)【要約】【課題】  小さい子供がアニメ番組を暗いところで視聴しているような場合に発生しやすい光過敏症の発生を未然に防止する。【解決手段】  制御部１８は、カメラ部２５により撮影した視聴者の画像に基づき、個人認証部２６によって認証した結果が予め設定された小人であり、ＥＰＧデータを検索した結果、受信番組の種類がアニメーション番組であり、カメラ部２５による室内の撮影画像に基づいて検出した視聴空間の照度が予め設定された照度レベル以下である場合には、室内の照明を明るくするメッセージをＴＶモニタ１５の画面に表示するか、または電源を強制的にオフとする。【選択図】  図１
2006148719.tif 000002
【特許請求の範囲】
【請求項１】
受信番組に関する番組情報を取得する取得部と、
放送信号を受信して映像信号と音声信号を得る放送信号受信部または予め録画された番組を再生して映像信号と音声信号とを得る録画再生部と、
視聴者を撮影する撮像部と、
撮像部により撮影された視聴者の顔画像と予め登録されている個人の顔画像とを比較することによって視聴している個人を認証する認証部と、
視聴空間の明るさを検出する照度検出部と、
視聴空間に設置されている照明器具に対して照度を制御する制御信号を送出する制御信号送出部と、
前記認証部による認証結果と前記番組情報に基づく受信番組の種類と前記照度検出部による視聴空間の照度とに基づいて視聴改善に関する制御を行う視聴改善制御部とを備えており、
前記視聴改善制御部は、前記認証部による認識結果が予め設定された小人であり、前記受信番組の種類または再生番組の種類がアニメーション番組であり、前記撮影画像に基づいて検出した視聴空間の照度が予め設定された照度レベル以下である場合には、室内の照明を明るくするメッセージをモニタ画面に表示する警告処理を行うとともに、前記照明器具に対して前記制御信号を送出して、前記照明器具の照度を予め設定された照度レベルまで上昇させる制御を行う一方、音量が予め設定された音量レベルを超えている場合には、予め設定された音量レベルまで音量を下げる制御を行い、かつ、室内の照明を明るくするメッセージを前記通信回線を介して携帯電話機に送信することを特徴とする放送信号受信システム。
【請求項２】
受信番組に関する番組情報を取得する取得部と、
放送信号を受信して映像信号と音声信号とを得る放送信号受信部または予め録画された番組を再生して映像信号と音声信号とを得る録画再生部と、
視聴者を撮影する撮像部と、
撮像部により撮影された視聴者の顔画像と予め登録されている個人の顔画像とを比較することによって視聴している個人を認証する認証部と、
視聴空間の明るさを検出する照度検出部と、
前記認証部による認証結果と前記番組情報に基づく受信番組の種類または再生番組の種類と前記照度検出部による視聴空間の照度とに基づいて視聴改善に関する制御を行う視聴改善制御部とを備えていることを特徴とする放送信号受信システム。
【請求項３】
前記撮像部が前記照度検出部を兼用していることを特徴とする請求項２に記載の放送信号受信システム。
【請求項４】
前記視聴改善制御部は、前記認証部による認識結果が予め設定された小人であり、前記受信番組の種類または再生番組の種類がアニメーション番組であり、前記照度検出部による視聴空間の照度が予め設定された照度レベル以下である場合に視聴改善に関する制御を実施することを特徴とする請求項２または請求項３に記載の放送信号受信システム。
【請求項５】
前記視聴改善に関する制御が、室内の照明を明るくするメッセージをモニタ画面に表示する警告処理を含むことを特徴とする請求項２ないし請求項４のいずれかに記載の放送信号受信システム。
【請求項６】
視聴空間に設置されている照明器具に対して照度を制御する制御信号を送出する制御信号送出部をさらに備えており、
前記視聴改善制御部は、前記視聴改善に関する制御として、前記照明器具の照度が予め設定された照度レベル以下である場合には、前記照明器具に対して前記制御信号を送出して、前記照明器具の照度を予め設定された照度レベルまで上昇させる制御を含むことを特徴とする請求項４または請求項５に記載の放送信号受信システム。
【請求項７】
前記視聴改善制御部は、前記視聴改善に関する制御として、音量が予め設定された音量レベルを超えている場合には、予め設定された音量レベルまで音量を下げる制御を含むことを特徴とする請求項６に記載の放送信号受信システム。
【請求項８】
他の電子機器と通信回線を介して一方向または双方向に通信を行う通信部をさらに備えており、
前記視聴改善制御部は、前記視聴改善に関する制御として、室内の照明を明るくするメッセージを前記通信回線を介して他の電子機器に送信することを特徴とする請求項４または請求項５に記載の放送信号受信システム。
【請求項９】
前記他の電子機器が、パーソナルコンピュータ、携帯電話機、ＰＤＡ、または建物内の他の部屋に設置されたテレビジョン受像機であることを特徴とする請求項８に記載の放送信号受信システム。
【発明の詳細な説明】
【技術分野】
【０００１】
本発明は、放送信号受信システムに係り、より詳細には、小さい子供がアニメーション番組（以下、アニメ番組と略記する）を暗いところで視聴しているような場合に発生しやすい光過敏症を防止するための保護機能を搭載した放送信号受信システムに関する。
【背景技術】
【０００２】
従来より、映像や音声、文字等の情報をアナログ方式やデジタル方式によって放送または配信する技術が提供されており、これらの情報を受信して種々の機能を付加した装置も提案されている（例えば、特許文献１，２等参照）。
【０００３】
特許文献１には、放送番組の内容に応じてエアコン装置や照明機器等の周辺機器を制御する放送番組送受信システムが記載されている。例えば、放送番組において室内の明るさを調整すべき場面（例えば、幽霊やお化けが出る恐怖場面等）があるときに、その場面の番組データに合わせてランプの照明光を暗くあるいは消灯する等の制御を行うようになっている。また、特許文献２には、視聴者を認識し、視聴者が幼児や未成年者の場合には、教育上悪影響を与える画面が表示されるときに、チャンネルを切り替えたり、警告を発したり、電源を切ったりする装置が記載されている。
【特許文献１】特開２００１−３３３０３０号公報
【特許文献２】特開２００１−１６５１４号公報
【発明の開示】
【発明が解決しようとする課題】
【０００４】
上記特許文献１のシステムによれば、視聴者にとってよりエキサイティングな視聴環境を提供することができる。また、上記特許文献２の装置では、視聴者が幼児や未成年者の場合に、教育上悪影響を与える番組を視聴制限することができる。
【０００５】
しかし、いずれの従来技術においても、小人がアニメ番組を暗いところで視聴しているような場合に発生しやすい光過敏症を防止することについては何も考慮されていない。小人に対する光過敏症については、アニメを制作する制作会社においても一定の基準を設けてアニメを作成するようになっているが、視聴環境は各家庭で異なることから、制作会社の対応だけで小人に対する光過敏症が完全に防止されるものではない。
【０００６】
本発明はかかる点に鑑みて創案されたもので、その目的は、小さい子供がアニメ番組を暗いところで視聴しているような場合に発生しやすい光過敏症の発生を防止するための保護機能を搭載した放送信号受信システムを提供することにある。
【課題を解決するための手段】
【０００７】
本発明の放送信号受信システムは、受信番組に関する番組情報を取得する取得部と、放送信号を受信して映像信号と音声信号とを得る放送信号受信部または予め録画された番組を再生して映像信号と音声信号とを得る録画再生部と、視聴者を撮影する撮像部と、撮像部により撮影された視聴者の顔画像と予め登録されている個人の顔画像とを比較することによって視聴している個人を認証する認証部と、視聴空間の明るさを検出する照度検出部と、前記認証部による認証結果と前記番組情報に基づく受信番組の種類または再生番組の種類と前記照度検出部による視聴空間の照度とに基づいて視聴改善に関する制御を行う視聴改善制御部とを備えていることを特徴とする。この場合、前記撮像部であるカメラは、通常、被写体の明るさを検出する機能を備えているので、この撮像部であるカメラを前記照度検出部として兼用してもよい。
【０００８】
前記視聴改善制御部は、具体的には、前記認証部による認識結果が予め設定された小人であり、前記受信番組の種類がアニメ番組であり、前記照度検出部による視聴空間の照度が予め設定された照度レベル以下である場合の３つの条件を満たすとき、視聴改善に関する制御を実施する。ここで、前記視聴改善に関する制御とは、具体的には、室内の照明を明るくするメッセージをモニタ画面に表示する警告処理を含む制御である。アニメ番組を視聴する環境としては照明が暗い場合に、モニタ画面に室内の照明を明るくするように警告を発することで、例えばそこに親が居た場合には、その警告に気づいた親が室内の照明を明るくする等、視聴環境を即座に改善することができる。
【０００９】
また、本発明の放送信号受信システムは、視聴空間に設置されている照明器具に対して照度を制御する制御信号を送出する制御信号送出部をさらに備えており、前記視聴改善制御部は、前記視聴改善に関する制御として、前記照明器具の照度が予め設定された照度レベル以下である場合には、前記照明器具に対して前記制御信号を送出して、前記照明器具の照度を予め設定された照度レベルまで上昇させる制御を含んでいてもよい。照明器具の照度を予め設定された照度レベルまで上昇させる制御としては、単純に消灯している照明器具を点灯（電源オン）する制御も含まれる。また、最近の照明器具では、その明るさを無段階に変化させるものもあるため、このような照明器具では、上記したように照明器具の照度を予め設定された照度レベルまで上昇させる制御を行うことが可能とする。このように、認証部による個人認証を行うことによって、自動的に視聴者を特定でき、従来保護者が行っていた番組視聴時の部屋の明るさ管理を、保護者不在であっても実現することが可能となる。
【００１０】
さらに、前記視聴改善制御部は、前記視聴改善に関する制御として、音量が予め設定された音量レベルを超えている場合には、予め設定された音量レベルまで音量を下げる制御を含んでいてもよい。小人である幼児や小学校低学年の子供は、一般的に音量を大きくして視聴する場合が多い。この場合に、光過敏症の観点からすれば、音量はさほど関係ないようにも思われるが、光過敏症と同様、小人の脳を刺激するという意味では、音量が大きいほど小人の能を刺激することになる。そのため、光過敏症の直性的な原因ではないにしても、小人の脳に対する刺激を低減する意味で、照明を明るくすることに加え、音量も併せて下げることで、光過敏症を誘発する原因となる要素を低減することが期待できる。
【００１１】
さらに、本発明の放送信号受信システムは、他の電子機器と通信回線を介して一方向または双方向に通信を行う通信部をさらに備えていてもよい。そして（９）、前記視聴改善制御部は、前記認証部による認識結果が予め設定された小人であり、前記受信番組の種類がアニメ番組であり、前記照度検出部による視聴空間の照度が予め設定された照度レベル以下である場合の３つの条件を満たすとき、室内の照明を明るくするメッセージを前記通信回線を介して他の電子機器に送信するようにしてもよい。この場合、他の電子機器としては、パーソナルコンピュータ、携帯電話機、ＰＤＡ、または建物内の他の部屋に設置されたテレビジョン受像機などが考えられる。特に、携帯電話機は、親が外出中であっても、通常、常に携行している場合が多く、その携帯電話機に、小人の視聴環境状況を通知することで、親は外出中であっても、例えば家に電話をかける等して、室内照明を明るくするように子供に伝えることが可能となる。
【発明の効果】
【００１２】
本発明の放送信号受信システムによれば、認証部による個人認証を行うことによって、自動的に視聴者を特定でき、従来保護者が行っていた番組視聴時の部屋の明るさ管理を、保護者不在であっても実現することができる。これにより、小さい子供がアニメ番組を暗いところで視聴しているような場合に発生しやすい光過敏症の発生を未然に防止することができる。
【発明を実施するための最良の形態】
【００１３】
以下、本発明の実施の形態について、図面を参照して説明する。
【００１４】
図１は、本発明の放送信号受信システムの全体構成を示す機能ブロック図である。
【００１５】
この放送信号受信システム１は、図示しないアンテナにて受信した放送信号を入力する入力端子１１ａを備えており、この入力端子１１ａにチューナ部１１が接続されている。チューナ部１１の出力は、デジタルの映像信号をアナログの映像信号に変換する映像デコーダ１２に接続されているとともに、デジタルの音声信号をアナログの音声信号に変換する音声デコーダ１３に接続されている。また、映像デコーダ１２の出力は、ＶＣＲ（ビデオカセットレコーダ）１７の映像用入出力端子１ａに接続されているとともに、ＯＳＤ（オンスクリーンディスプレイ）回路１４を介して、ＴＶモニタ１５の映像入力端子１５ａに接続されている。また、音声デコーダ１３の出力は、ＴＶモニタ１５の音声入力端子１５ｂとＶＣＲ１７の音声用入出力端子１ｂとに接続されている。
【００１６】
また、チューナ部１１の出力は、受信した放送信号に含まれている最新の電子番組ガイド（ＥＰＧ）データを一時的に蓄積するＥＰＧデータ蓄積部（ＲＡＭやＥＥＰＲＯＭ等）１６に接続されている。
【００１７】
制御部１８は、図示は省略しているが、ＣＰＵ、ＲＯＭ、ＲＡＭ等により構成されており、チューナ部１１、映像デコーダ１２、音声デコーダ１３及びＯＳＤ回路１４をそれぞれ制御するようになっている。また、制御部１８には、ＥＰＧデータ蓄積部１６に蓄積されているＥＰＧデータを検索するデータ検索部１９が双方向に接続されており、制御部１８は、適宜のタイミングでデータ検索部１９を制御し、ＥＰＧデータ蓄積部１６に蓄積されているＥＰＧデータの検索を行うようになっている。
【００１８】
また、制御部１８には、各種キー操作信号を制御部１８に入力するキー入力部２１が接続されており、このキー入力部２１には、リモコン２３からのキー操作信号を受信する受信部２２の出力が接続されている。すなわち、キー入力部２１は、装置本体の前面パネルに設けられている各種キー（ボタン等）の操作信号を制御部１８に入力する他、受信部２２で受信されたリモコン２３からのキー操作信号も制御部１８に入力するようになっている。また、制御部１８には、後述する一定時間を計測するタイマー部２８が接続されている。
【００１９】
また、装置本体には、視聴者を撮影するための撮像部であるカメラ部（ＣＣＤカメラ部）２５が設けられており、このカメラ部２５の出力は、撮影画像に基づいて個人を認証する個人認証部２６と、撮影画像に基づいて部屋の視聴環境、すなわち室内の明るさを検出する照度検出部２７とに接続されており、これら個人認証部２６での認証結果、及び照度検出部による室内の照度情報が制御部１８に入力されるようになっている。
【００２０】
さらに、制御部１８には、他の電子機器４０と一方向または双方向に通信可能な通信部２９が接続されている。通信部２９としては、電子機器が例えば家庭内の電化製品であり、これら電化製品がネットワーク（家庭内ＬＡＮ）によって接続されているような場合にはそのネットワークと接続するための通信部であり、電子機器が例えば携帯電話機である場合には、携帯電話網に接続するための通信部である。ここで、家庭内の電化製品としては、例えば冷蔵庫や電子レンジ等の台所用品を始め、他の部屋に設置されているテレビジョン受像機等のＡＶ機器、各部屋に設置されている照明器具などである。例えば、照明器具が通信部２９介して接続されている場合には、その照明器具をオン、オフ制御したり、照明光を変化させることでその部屋の明るさを調整する等の制御を行うことができる。
【００２１】
上記構成において、個人認証部２６には、家族全員（ただし、幼児や子供等の小人だけでもよい）の身体的特徴（本実施の形態では、顔の特徴）を示す情報が図示しない内部メモリに予め保存されている。この保存方法としては、例えばリモコン２３の図示しないメニューボタンを操作して認識情報の登録モードを選択する。認識情報登録モードとは、個人認証部２６により認識された被写体の特徴情報を予めメモリ部に保存する処理を実施するモードのことである。
【００２２】
具体的に説明すると、例えば子供の認識データを作成する場合、その子供の顔を、カメラ部２５から指定された距離だけ離れて撮影する。個人認証部２６は、この撮影した顔画像を基に子供認識データを作成する。画像認識技術は従来周知の技術であるので、ここでは詳細な説明を省略する。この子供認識データ（特徴データ）は、内部メモリに保存される。個人認証部２６では、以後、この内部メモリに保存されている認証データに基づいて特定の個人を認証する。
【００２３】
照度検出部２７は、本実施形態では、カメラ部２５の撮影画像に基づいて室内の明るさ（照度レベル）を検出しているが、カメラ部２５とは別に室内の明るさのみを検出する照度検出部を別途設けてもよい。なお、照度の検出についても従来周知の技術であるので、ここでは詳細な説明を省略する。
【００２４】
制御部１８は、個人認証部２６による認証結果と、ＥＰＧデータ蓄積部１６に蓄積されているＥＰＧデータに基づく受信番組の種類と、照度検出部２７による視聴空間の照度とに基づいて、視聴改善に関する制御を行う。以下、この視聴改善制御について具体的に実施例を挙げて説明する。
【実施例１】
【００２５】
図２は、本実施例１の視聴改善制御処理を示すフローチャートである。以下、このフローチャートを参照して本実施例１の視聴改善制御の処理手順を説明する。
【００２６】
例えば、リモコン２３によるテレビ電源のオン時に、制御部１８は、カメラ部２５を制御して視聴者を撮影する（ステップＳ１）。個人認証部２６は、カメラ部２５により撮影された視聴者の顔画像と、予め内部メモリに登録されている子供の顔画像とを比較することによって視聴者を認証し、その認証結果を図示しない内部メモリ等に保存する（ステップＳ２）。
【００２７】
この状態において、制御部１８は、データ検索部１９によりＥＰＧデータ蓄積部１６を検索し、現在受信している放送番組またはＶＣＲ１７による再生番組がアニメ番組であるか否かを判断する（ステップＳ３）。この判断は、例えばリモコン２３によるテレビ電源のオン時やＶＣＲ１７の再生動作時の他、受信放送番組のチャンネル切り替え時等に行う。その結果、現在受信している放送番組または現在再生している番組がアニメ番組である場合（ステップＳ３でＹｅｓと判断された場合）には、次に、内部メモリに保存している前記認証結果を参照し、認証した視聴者が子供であるか否かを判断する（ステップＳ４）。その結果、視聴者が子供でない場合（ステップＳ４でＮｏと判断された場合）には、ステップＳ７へと動作を進め、そのままアニメ番組の放送を継続する。
【００２８】
一方、視聴者が子供である場合（ステップＳ４でＹｅｓと判断された場合）には、次に、照度検出部２７によって視聴空間である室内の明るさを検出し（ステップＳ５）、室内の明るさが予め設定された一定の照度レベル（子供がアニメ番組を視聴しても光過敏症を起こさないと思われる程度の明るさレベル）以上であるか否かを判断する（ステップＳ６）。その結果、室内の明るさが一定の照度レベル以上である場合（ステップＳ６でＹｅｓと判断された場合）には、そのままの視聴状態を継続する（ステップＳ７）。
【００２９】
一方、室内の明るさが一定の照度レベル以下である場合（ステップＳ６でＮｏと判断された場合）には、室内の照明を明るくする旨のメッセージをＴＶモニタ１５の画面に表示する（ステップＳ８）。また、制御部１８は、タイマー部２８により、予め設定された一定時間（例えば１分等）の計測を開始し（ステップＳ９）、その計測中、室内の照明が明るくされたか否か、すなわち、一定の照度レベル以上に調整されたか否かを判断する（ステップＳ１０）。そして、この一定時間が経過する前に室内の照明が明るくされた場合（ステップＳ９でＮｏ、ステップＳ１０でＹｅｓと判断された場合）には、ＴＶモニタ１５の画面にアニメ画像とともに表示していたメッセージを消去し、ステップＳ７に進んで、そのままアニメ番組の放送を継続する。
【００３０】
一方、一定時間が経過しても室内の照明が明るくされなかった場合（ステップＳ９でＹｅｓと判断された場合）には、制御部１８は、視聴環境が改善されなかったと判断して、視聴を制限する（ステップＳ１１）。ここで、視聴制限制御としては、例えばＴＶの電源を強制的にオフする制御や、アニメ番組以外の他の番組に受信チャンネルを強制的に切り替える等の制御が考えられる。
【実施例２】
【００３１】
上記実施例１では、一定の条件を満たしたときに視聴制限を行う実施例であり、システム単独で処理が完結する実施例であったが、本実施例では、視聴環境の改善を自動的に行う実施例であり、通信部２９を介して家庭内ＬＡＮに接続されている場合の実施例である。以下、図３に示すフローチャートを参照して本実施例２の視聴改善制御の処理手順を説明する。
【００３２】
例えば、リモコン２３による電源オン時に、制御部１８は、カメラ部２５を制御して視聴者を撮影する（ステップＳ２１）。個人認証部２６は、カメラ部２５により撮影された視聴者の顔画像と、予め内部メモリに登録されている子供の顔画像とを比較することによって視聴者を認証し、その認証結果を図示しない内部メモリ等に保存する（ステップＳ２２）。
【００３３】
この状態において、制御部１８は、データ検索部１９によりＥＰＧデータ蓄積部１６を検索し、現在受信している放送番組またはＶＣＲ１７による再生番組がアニメ番組であるか否かを判断する（ステップＳ２３）。この判断は、例えばリモコン２３によるテレビ電源のオン時やＶＣＲ１７の再生動作時の他、受信放送番組のチャンネル切り替え時等に行う。その結果、現在受信している放送番組または現在再生している番組がアニメ番組である場合（ステップＳ２３でＹｅｓと判断された場合）には、次に、内部メモリに保存している前記認証結果を参照し、認証した視聴者が子供であるか否かを判断する（ステップＳ２４）。その結果、視聴者が子供でない場合（ステップＳ２４でＮｏと判断された場合）には、ステップＳ２７へと動作を進め、そのままアニメ番組の放送を継続する。
【００３４】
一方、視聴者が子供である場合（ステップＳ２４でＹｅｓと判断された場合）には、次に、照度検出部２７によって視聴空間である室内の明るさを検出し（ステップＳ２５）、室内の明るさが予め設定された一定の照度レベル（子供がアニメ番組を視聴しても光過敏症を起こさないと思われる程度の明るさレベル）以上であるか否かを判断する（ステップＳ２６）。その結果、室内の明るさが一定の照度レベル以上である場合（ステップＳ２６でＹｅｓと判断された場合）には、そのままの視聴状態を継続する（ステップＳ２７）。
【００３５】
一方、室内の明るさが一定の照度レベル以下である場合（ステップＳ２６でＮｏと判断された場合）には、通信部２９を介して室内の照明器具の明るさを調整し、室内の照明を一定の照度レベル以上とする（ステップＳ２８）。このとき、制御部１８は、ＴＶモニタ１５から送出されている音量を検出その音量が予め設定された一定の音量レベル以上であるか否かを判断する（ステップＳ２９）。その結果、音量が一定の音量レベル以下である場合（ステップＳ２９でＮｏと判断された場合）には、ステップＳ２７へと動作を進め、そのままの音量レベルで視聴を継続する。一方、音量が一定の音量レベルを超えている場合（ステップＳ２９でＹｅｓと判断された場合）には、音量を一定の音量レベル以下に下げるようにボリュームを調整した後（ステップＳ３０）、ステップＳ２７へと動作を進め、その音量レベルで視聴を継続する。
【００３６】
なお、上記実施例２では、室内照明の制御と音量の制御の両方の制御を同時に連係して行う構成として説明しているが、室内照明の制御さえ確実に行えれば、音量制御は必ずしも必要な制御ではない。また、上記実施例２では、本システムが通信部２９を介して家庭内ＬＡＮに接続されている。従って、この家庭内ＬＡＮに例えばパソコン等が接続されており、このパソコンに対して本システムから警告情報を伝達するように構成しておけば、パソコン側の判断でメールを送信したり、室内照明を制御したりすることが可能である。
【実施例３】
【００３７】
上記実施例２は、本システムが通信部２９を介して家庭内ＬＡＮに接続されている場合の実施例であったが、本実施例３では、通信部２９を介して携帯通信端末（例えば、携帯電話機）と通信を行う場合の実施例である。ただし、本実施例３の処理は、基本的には上記実施例１の処理に携帯電話機との通信を追加した実施例であるので、ここではその追加した部分のみの処理について説明する。
【００３８】
すなわち、本実施例３では、図２に示す実施例１の処理手順のステップＳ８の処理が実施例１とは異なっている。
【００３９】
すなわち、実施例１のステップＳ８では、室内の照明を明るくする旨のメッセージをＴＶモニタ１５の画面に表示するのみであったが、本実施例３では、これと同じ主旨のメッセージを通信部２９を介して例えば親が所持している携帯電話機に送信する。このときのメッセージとしては、例えば「子供が暗い室内でテレビを視聴しようとしています。」等の警告メッセージとすることができる。ただし、メッセージの内容については、予め設定しておけばよい。このメッセージは、親等が設定できるようにしてもよいし、予め登録されていてもよい。これにより、親は、外出中であっても、例えば家に電話をかける等して、室内照明を明るくするように子供に伝えることが可能となる。
【００４０】
なお、上記実施例３は、上記実施例１の処理に携帯電話機との通信を追加した実施例として説明しているが、上記実施例２の処理に携帯電話機との通信を追加してもよい。すなわち、図３に示す処理手順のステップＳ２６でＮｏと判断、すなわち、室内の明るさが一定の照度レベル以下であると判断された場合に、通信部２９を介して例えば親が所持している携帯電話機にメッセージを送信するようにしてもよい。このときのメッセージとしては、例えば「子供が暗い室内でテレビを視聴しようとしていましたので、照明を明るくしました。」等のメッセージとすることができる。
【００４１】
また、上記実施の形態では、放送信号をデジタル放送信号として説明しているが、放送信号がアナログ放送信号であっても本発明の適用が可能である。アナログ放送信号の場合には、放送電波に重畳されている番組表等のＥＰＧデータを受信することにより、またはインターネット経由で番組表データを別途取得することにより、現在時刻と番組表との対応から、受信している番組の情報を得ることができる。さらに、上記実施の形態では、録画再生装置としてＶＣＲ１７を例示しているが、ＤＶＤレコーダやＨＤ内蔵型ＤＶＤレコーダ等であってもよいことは当然である。
【図面の簡単な説明】
【００４２】
【図１】本発明の放送信号受信システムの全体構成を示す機能ブロック図である。
【図２】本発明の放送信号受信システムの実施例１に係る視聴改善制御処理を示すフローチャートである。
【図３】本発明の放送信号受信システムの実施例２に係る視聴改善制御処理を示すフローチャートである。
【符号の説明】
【００４３】
１  放送信号受信システム
１１  チューナ部
１２  映像デコーダ
１３  音声デコーダ
１４  ＯＳＤ回路
１５  ＴＶモニタ
１６  ＥＰＧデータ蓄積部
１７  ＶＣＲ
１８  制御部
１９  データ検索部
２１  キー入力部
２２  受信部
２３  リモコン部
２５  カメラ部
２６  個人認証部
２７  照度検出部
２８  タイマー部
２９  通信部
４０  他の電子機器

【図１】
2006148719.tif 000003
【図２】
2006148719.tif 000004
【図３】
2006148719.tif 000005